(57)【要約】【課題】ＡＦ動作を高速に行うことができ、且つ偽合焦のない焦点検出を行うことができるようにする。【解決手段】撮影光学系のフォーカスレンズ１を光軸方向に移動しながら各フォーカスレンズ位置においてＣＣＤ３から得られる画像信号に基づいて自動的に焦点検出を行う方法であって、その画像信号の高周波成分の信号量を検出することにより合焦評価値を取得する合焦評価値取得工程（Ｓ２１乃至Ｓ２４がＹｅｓ）と、この合焦評価値に基づいて合焦位置を検出する焦点位置検出工程（Ｓ２５）と、検出された合焦位置が、合焦位置であるか偽合焦位置であるかを判定する合焦／偽合焦判定工程（Ｓ２６）と、を有する。【選択図】図３
2006145666.tif 000002
【特許請求の範囲】
【請求項１】
撮影光学系のフォーカスレンズを光軸方向に移動しながら各フォーカスレンズ位置において撮像素子から得られる画像信号に基づいて自動的に焦点検出を行う焦点検出方法であって、
前記画像信号の高周波成分の信号量を検出することにより合焦評価値を取得する合焦評価値取得工程と、
前記合焦評価値に基づいて合焦位置を検出する焦点位置検出工程と、
前記検出された合焦位置が、合焦位置であるか偽合焦位置であるかを判定する合焦／偽合焦判定工程と、
を有することを特徴とする焦点検出方法。
【請求項２】
前記合焦／偽合焦判定工程により偽合焦位置と判定された場合は、焦点位置を固定位置とする、
ことを特徴とする請求項１に記載の焦点検出方法。
【請求項３】
前記合焦／偽合焦判定工程により偽合焦位置と判定された場合は、エラー表示を行う、
ことを特徴とする請求項１に記載の焦点検出方法。
【請求項４】
前記合焦／偽合焦判定工程は、
被写体輝度を得る被写体輝度取得工程と、
合焦駆動開始から合焦位置越え判断完了まで前記フォーカスレンズ位置を変えながら得られた合焦評価値において最大値と最小値を取得する特徴値検出工程と、
前記合焦駆動開始から合焦位置越え判断完了まで前記フォーカスレンズ位置を変えながら得られた合焦評価値において前記最大値を含む上位Ｎ個の合焦評価値を取得する最大値群取得工程と、
前記最大値と最小値との信号差を求める信号差取得工程と、
前記上位Ｎ個の合焦評価値が、連続するＭ個の前記フォーカスレンズ位置内で取得されたか否かを判定する判定工程と、
を備え、
前記合焦／偽合焦の判定を、前記被写体輝度、前記信号差、及び前記判定工程の結果に基づいて判定する、
ことを特徴とする請求項１に記載の焦点検出方法。
【請求項５】
前記合焦／偽合焦判定工程は、
前記被写体輝度が所定の輝度以上であって、前記信号差が予め設定した閾値より小さく且つ前記判定工程の結果が前記連続するＭ個の前記フォーカスレンズ位置内で取得されなかったという判定である場合には、前記検出された合焦位置は偽合焦位置であると判断し、
前記被写体輝度が所定の輝度よりも小さい場合であって、前記信号差が予め設定した閾値より小さいか又は前記判定工程の結果が前記連続するＭ個の前記フォーカスレンズ位置内で取得されなかったという判定である場合には、前記検出された合焦位置は偽合焦位置であると判断する、
ことを特徴とする請求項４に記載の焦点検出方法。
【請求項６】
撮影光学系のフォーカスレンズを光軸方向に移動させながら各フォーカスレンズ位置において撮像素子から得られる画像信号に基づいて自動的に焦点検出を行う焦点検出方法であって、
前記画像信号をフィルタの第１のカットオフ周波数を通過させて第１の高周波信号成分の信号量を検出することにより第１の合焦評価値を取得し、フィルタの第１のカットオフ周波数より通過周波数帯域が高い第２のカットオフ周波数を通過させて第２の高周波信号成分の信号量を検出することにより第２の合焦評価値を取得する合焦評価値取得工程と、
前記第１及び第２の合焦評価値に基づいて合焦位置を検出する焦点位置検出工程と、
前記検出された合焦位置が、合焦位置であるか偽合焦位置であるかを判定する合焦／偽合焦判定工程と、
を有することを特徴とする焦点検出方法。
【請求項７】
前記合焦／偽合焦判定工程により偽合焦位置と判定された場合は、焦点位置を固定位置とする、
ことを特徴とする請求項６に記載の焦点検出方法。
【請求項８】
前記合焦／偽合焦判定工程により偽合焦位置と判定された場合は、エラー表示を行う、
ことを特徴とする請求項６に記載の焦点検出方法。
【請求項９】
前記合焦／偽合焦判定工程は、
被写体輝度を得る被写体輝度取得工程と、
合焦駆動開始から合焦位置越え判断完了まで前記フォーカスレンズ位置を変えながら得られた前記第１の合焦評価値と前記第２の合焦評価値とにおいてそれぞれ最大値と最小値とを取得する特徴値検出工程と、
前記合焦駆動開始から合焦位置越え判断完了まで前記フォーカスレンズ位置を変えながら得られた前記第２の合焦評価値において前記最大値を含む上位Ｎ個の合焦評価値を取得する最大値群取得工程と、
前記第１の合焦評価値の最大値と最小値との信号差を求める信号差取得工程と、
前記上位Ｎ個の合焦評価値が、連続するＭ個の前記フォーカスレンズ位置内で取得されたか否かを判定する判定工程と、
を備え、
前記合焦／偽合焦の判定を、前記被写体輝度、前記信号差、及び前記判定工程の結果に基づいて判定する、
ことを特徴とする請求項６に記載の焦点検出方法。
【請求項１０】
前記合焦／偽合焦判定工程は、
前記第２の合焦評価値の最大値が前記第１の合焦評価値の最大値以上であり且つ前記第２の合焦評価値の最小値が前記第１の合焦評価値の最小値以上であって、前記信号差が予め設定した閾値より小さいか又は前記判定工程の結果が前記連続するＭ個の前記フォーカスレンズ位置内で取得されなかったという判定である場合には、前記検出された合焦位置は偽合焦位置であると判断し、
前記第２の合焦評価値の最大値が前記第１の合焦評価値の最大値未満であるか又は前記第２の合焦評価値の最小値が前記第１の合焦評価値の最小値未満であって、前記信号差が予め設定した閾値より小さく且つ前記判定工程の結果が前記連続するＭ個の前記フォーカスレンズ位置内で取得されなかったという判定である場合には、前記検出された合焦位置は偽合焦位置であると判断する、
ことを特徴とする請求項９に記載の焦点検出方法。
【請求項１１】
撮影光学系のフォーカスレンズを光軸方向に移動しながら各フォーカスレンズ位置において撮像素子から得られる画像信号に基づいて自動的に焦点検出を行う焦点検出装置であって、
前記画像信号の高周波成分の信号量を検出することにより合焦評価値を取得する合焦評価値取得手段と、
前記合焦評価値に基づいて合焦位置を検出する焦点位置検出手段と、
前記検出された合焦位置が、合焦位置であるか偽合焦位置であるかを判定する合焦／偽合焦判定手段と、
を有することを特徴とする焦点検出装置。
【請求項１２】
前記合焦／偽合焦判定手段により偽合焦位置と判定された場合は、焦点位置を固定位置とする、
ことを特徴とする請求項１１に記載の焦点検出装置。
【請求項１３】
前記合焦／偽合焦判定手段により偽合焦位置と判定された場合は、エラー表示を行う、
ことを特徴とする請求項１１に記載の焦点検出装置。
【請求項１４】
前記合焦／偽合焦判定手段は、
被写体輝度を得る被写体輝度取得手段と、
合焦駆動開始から合焦位置越え判断完了まで前記フォーカスレンズ位置を変えながら得られた合焦評価値において最大値と最小値を取得する特徴値検出手段と、
前記合焦駆動開始から合焦位置越え判断完了まで前記フォーカスレンズ位置を変えながら得られた合焦評価値において前記最大値を含む上位Ｎ個の合焦評価値を取得する最大値群取得手段と、
前記最大値と最小値との信号差を求める信号差取得手段と、
前記上位Ｎ個の合焦評価値が、連続するＭ個の前記フォーカスレンズ位置内で取得されたか否かを判定する判定手段と、
を備え、
前記合焦／偽合焦の判定を、前記被写体輝度、前記信号差、及び前記判定手段による判定結果に基づいて判定する、
ことを特徴とする請求項１１に記載の焦点検出装置。
【請求項１５】
前記合焦／偽合焦判定手段は、
前記被写体輝度が所定の輝度以上であって、前記信号差が予め設定した閾値より小さく且つ前記判定手段による判定結果が前記連続するＭ個の前記フォーカスレンズ位置内で取得されなかったという判定である場合には、前記検出された合焦位置は偽合焦位置であると判断し、
前記被写体輝度が所定の輝度よりも小さい場合であって、前記信号差が予め設定した閾値より小さいか又は前記判定手段による判定結果が前記連続するＭ個の前記フォーカスレンズ位置内で取得されなかったという判定である場合には、前記検出された合焦位置は偽合焦位置であると判断する、
ことを特徴とする請求項１４に記載の焦点検出装置。
【請求項１６】
撮影光学系のフォーカスレンズを光軸方向に移動させながら各フォーカスレンズ位置において撮像素子から得られる画像信号に基づいて自動的に焦点検出を行う焦点検出装置であって、
前記画像信号をフィルタの第１のカットオフ周波数を通過させて第１の高周波信号成分の信号量を検出することにより第１の合焦評価値を取得し、フィルタの第１のカットオフ周波数より通過周波数帯域が高い第２のカットオフ周波数を通過させて第２の高周波信号成分の信号量を検出することにより第２の合焦評価値を取得する合焦評価値取得手段と、
前記第１及び第２の合焦評価値に基づいて合焦位置を検出する焦点位置検出手段と、
前記検出された合焦位置が、合焦位置であるか偽合焦位置であるかを判定する合焦／偽合焦判定手段と、
を有することを特徴とする焦点検出装置。
【請求項１７】
前記合焦／偽合焦判定手段により偽合焦位置と判定された場合は、焦点位置を固定位置とする、
ことを特徴とする請求項１６に記載の焦点検出装置。
【請求項１８】
前記合焦／偽合焦判定手段により偽合焦位置と判定された場合は、エラー表示を行う、
ことを特徴とする請求項１６に記載の焦点検出装置。
【請求項１９】
前記合焦／偽合焦判定手段は、
被写体輝度を得る被写体輝度取得手段と、
合焦駆動開始から合焦位置越え判断完了まで前記フォーカスレンズ位置を変えながら得られた前記第１の合焦評価値と前記第２の合焦評価値とにおいてそれぞれ最大値と最小値とを取得する特徴値検出手段と、
前記合焦駆動開始から合焦位置越え判断完了まで前記フォーカスレンズ位置を変えながら得られた前記第２の合焦評価値において前記最大値を含む上位Ｎ個の合焦評価値を取得する最大値群取得手段と、
前記第１の合焦評価値の最大値と最小値との信号差を求める信号差取得手段と、
前記上位Ｎ個の合焦評価値が、連続するＭ個の前記フォーカスレンズ位置内で取得されたか否かを判定する判定手段と、
を備え、
前記合焦／偽合焦の判定を、前記被写体輝度、前記信号差、及び前記判定手段による判定結果に基づいて判定する、
ことを特徴とする請求項１６に記載の焦点検出装置。
【請求項２０】
前記合焦／偽合焦判定手段は、
前記第２の合焦評価値の最大値が前記第１の合焦評価値の最大値以上であり且つ前記第２の合焦評価値の最小値が前記第１の合焦評価値の最小値以上であって、前記信号差が予め設定した閾値より小さいか又は前記判定手段による判定結果が前記連続するＭ個の前記フォーカスレンズ位置内で取得されなかったという判定である場合には、前記検出された合焦位置は偽合焦位置であると判断し、
前記第２の合焦評価値の最大値が前記第１の合焦評価値の最大値未満であるか又は前記第２の合焦評価値の最小値が前記第１の合焦評価値の最小値未満であって、前記信号差が予め設定した閾値より小さく且つ前記判定手段による判定結果が前記連続するＭ個の前記フォーカスレンズ位置内で取得されなかったという判定である場合には、前記検出された合焦位置は偽合焦位置であると判断する、
ことを特徴とする請求項１９に記載の焦点検出装置。
【発明の詳細な説明】
【技術分野】
【０００１】
本発明は、撮影光学系のフォーカスレンズを光軸方向に移動しながら各フォーカスレンズ位置において撮像素子から得られる画像信号に基づいて自動的に焦点検出を行う方法及び装置に関する。
【背景技術】
【０００２】
従来、撮像素子から得られる画像信号から合焦状態を示す合焦評価値を求め、該合焦評価値を基に焦点検出を行う装置がある（例えば特許文献１参照）。この特許文献１に記載される装置は、合焦評価値の最大値と最小値を求め、最大値が得られる結像位置から無限遠端及び至近端までの距離の合計，最大値と無限遠端での合焦評価値の差と最大値と至近端での合焦評価値の差との合計値，及び最大値と最小値との差が、それぞれ対応する予め設定した閾値以上の場合に合焦評価値に信頼性があると判断するものである。
【特許文献１】特開２００４−１０１７６６号公報
【発明の開示】
【発明が解決しようとする課題】
【０００３】
しかしながら上記従来例では、合焦評価値の最大値と最小値を求めるために、レンズの無限遠端から最至近端までスキャンする必要があり、ＡＦの信頼性は向上するが高速なＡＦ動作はできない。一方、ＡＦスキャンする範囲を狭くすればＡＦ動作は高速になるが、ローコントラストやノイズの乗り易い撮影条件では偽合焦が起こる可能性が高くなる。
【０００４】
本発明は、上記実情に鑑み、ＡＦ動作を高速に行うことができ、且つ偽合焦のない焦点検出を行うことができる方法及び装置を提供することを目的とする。
【課題を解決するための手段】
【０００５】
上記目的を達成するため、本発明の第１の態様に係る焦点検出方法は、撮影光学系のフォーカスレンズを光軸方向に移動しながら各フォーカスレンズ位置において撮像素子から得られる画像信号に基づいて自動的に焦点検出を行う焦点検出方法であって、前記画像信号の高周波成分の信号量を検出することにより合焦評価値を取得する合焦評価値取得工程と、前記合焦評価値に基づいて合焦位置を検出する焦点位置検出工程と、前記検出された合焦位置が、合焦位置であるか偽合焦位置であるかを判定する合焦／偽合焦判定工程と、を有する構成である。
【０００６】
本発明の第２の態様に係る焦点検出方法は、上記第１の態様において、前記合焦／偽合焦判定工程により偽合焦位置と判定された場合は、焦点位置を固定位置とする、構成である。
【０００７】
本発明の第３の態様に係る焦点検出方法は、上記第１の態様において、前記合焦／偽合焦判定工程により偽合焦位置と判定された場合は、エラー表示を行う、構成である。
本発明の第４の態様に係る焦点検出方法は、上記第１の態様において、前記合焦／偽合焦判定工程は、被写体輝度を得る被写体輝度取得工程と、合焦駆動開始から合焦位置越え判断完了まで前記フォーカスレンズ位置を変えながら得られた合焦評価値において最大値と最小値を取得する特徴値検出工程と、前記合焦駆動開始から合焦位置越え判断完了まで前記フォーカスレンズ位置を変えながら得られた合焦評価値において前記最大値を含む上位Ｎ個の合焦評価値を取得する最大値群取得工程と、前記最大値と最小値との信号差を求める信号差取得工程と、前記上位Ｎ個の合焦評価値が、連続するＭ個の前記フォーカスレンズ位置内で取得されたか否かを判定する判定工程と、を備え、前記合焦／偽合焦の判定を、前記被写体輝度、前記信号差、及び前記判定工程の結果に基づいて判定する、構成である。
【０００８】
本発明の第５の態様に係る焦点検出方法は、上記第４の態様において、前記合焦／偽合焦判定工程は、前記被写体輝度が所定の輝度以上であって、前記信号差が予め設定した閾値より小さく且つ前記判定工程の結果が前記連続するＭ個の前記フォーカスレンズ位置内で取得されなかったという判定である場合には、前記検出された合焦位置は偽合焦位置であると判断し、前記被写体輝度が所定の輝度よりも小さい場合であって、前記信号差が予め設定した閾値より小さいか又は前記判定工程の結果が前記連続するＭ個の前記フォーカスレンズ位置内で取得されなかったという判定である場合には、前記検出された合焦位置は偽合焦位置であると判断する、構成である。
【０００９】
本発明の第６の態様に係る焦点検出方法は、撮影光学系のフォーカスレンズを光軸方向に移動させながら各フォーカスレンズ位置において撮像素子から得られる画像信号に基づいて自動的に焦点検出を行う焦点検出方法であって、前記画像信号をフィルタの第１のカットオフ周波数を通過させて第１の高周波信号成分の信号量を検出することにより第１の合焦評価値を取得し、フィルタの第１のカットオフ周波数より通過周波数帯域が高い第２のカットオフ周波数を通過させて第２の高周波信号成分の信号量を検出することにより第２の合焦評価値を取得する合焦評価値取得工程と、前記第１及び第２の合焦評価値に基づいて合焦位置を検出する焦点位置検出工程と、前記検出された合焦位置が、合焦位置であるか偽合焦位置であるかを判定する合焦／偽合焦判定工程と、を有する構成である。
【００１０】
本発明の第７の態様に係る焦点検出方法は、上記第６の態様において、前記合焦／偽合焦判定工程により偽合焦位置と判定された場合は、焦点位置を固定位置とする、構成である。
【００１１】
本発明の第８の態様に係る焦点検出方法は、上記第６の態様において、前記合焦／偽合焦判定工程により偽合焦位置と判定された場合は、エラー表示を行う、構成である。
本発明の第９の態様に係る焦点検出方法は、上記第６の態様において、前記合焦／偽合焦判定工程は、被写体輝度を得る被写体輝度取得工程と、合焦駆動開始から合焦位置越え判断完了まで前記フォーカスレンズ位置を変えながら得られた前記第１の合焦評価値と前記第２の合焦評価値とにおいてそれぞれ最大値と最小値とを取得する特徴値検出工程と、前記合焦駆動開始から合焦位置越え判断完了まで前記フォーカスレンズ位置を変えながら得られた前記第２の合焦評価値において前記最大値を含む上位Ｎ個の合焦評価値を取得する最大値群取得工程と、前記第１の合焦評価値の最大値と最小値との信号差を求める信号差取得工程と、前記上位Ｎ個の合焦評価値が、連続するＭ個の前記フォーカスレンズ位置内で取得されたか否かを判定する判定工程と、を備え、前記合焦／偽合焦の判定を、前記被写体輝度、前記信号差、及び前記判定工程の結果に基づいて判定する、構成である。
【００１２】
本発明の第１０の態様に係る焦点検出方法は、上記第９の態様において、前記合焦／偽合焦判定工程は、前記第２の合焦評価値の最大値が前記第１の合焦評価値の最大値以上であり且つ前記第２の合焦評価値の最小値が前記第１の合焦評価値の最小値以上であって、前記信号差が予め設定した閾値より小さいか又は前記判定工程の結果が前記連続するＭ個の前記フォーカスレンズ位置内で取得されなかったという判定である場合には、前記検出された合焦位置は偽合焦位置であると判断し、前記第２の合焦評価値の最大値が前記第１の合焦評価値の最大値未満であるか又は前記第２の合焦評価値の最小値が前記第１の合焦評価値の最小値未満であって、前記信号差が予め設定した閾値より小さく且つ前記判定工程の結果が前記連続するＭ個の前記フォーカスレンズ位置内で取得されなかったという判定である場合には、前記検出された合焦位置は偽合焦位置であると判断する、構成である。
【００１３】
また、本発明は、上記焦点検出方法に限らず、焦点検出装置として構成することも可能である。
【発明の効果】
【００１４】
本発明によれば、ＡＦ動作を高速に行うことができ、且つ偽合焦のない焦点検出を行うことができる。
【発明を実施するための最良の形態】
【００１５】
以下、本発明の実施の形態を図面を参照しながら説明する。
【実施例１】
【００１６】
図１は、本発明の実施例１に係る焦点検出装置を備えた電子カメラの主要構成を示すブロック図である。
尚、この電子カメラに備えられる焦点検出装置は、焦点検出方式として、撮影光学系のフォーカスレンズを光軸方向に移動しながら各フォーカスレンズ位置において撮像素子から得られる画像信号に基づいて自動的に焦点検出を行う方式を採用している。
【００１７】
同図において、この電子カメラは、主要構成として、撮影光学系のフォーカスレンズ１と、撮影光学系を透過した光束の量を調整する絞り２と、フォーカスレンズ１により結像された被写体像をアナログ画像信号（アナログ電気信号）に光電変換するＣＣＤ（ Charge Coupled Devices ）３と、そのアナログ画像信号に対し所定の撮像処理を施す撮像回路４と、その撮像処理が施されたアナログ画像信号をディジタル画像信号（ディジタル電気信号）にＡ／Ｄ変換するＡ／Ｄ部５と、そのディジタル画像信号に対し所定のディジタル信号処理を施し所定形式の画像データを取得するディジタル信号処理部６と、Ａ／Ｄ部５の出力信号であるディジタル画像信号からＡＥ（ Auto Exposure ）積算処理によりＡＥ評価値を取得するＡＥ積算部７と、Ａ／Ｄ部５の出力信号であるディジタル画像信号から高周波成分の信号を取り出すフィルタ８と、その高周波成分の信号からＡＦ（ Auto Focus ）積算処理により合焦評価値を取得するＡＦ積算部９と、当該電子カメラ全体の動作を制御する制御プログラムやその制御に必要な各種データが記憶される不揮発性メモリ１０と、メディアドライブ１１を制御するドライブコントローラ１２と、その制御の下に装着されているディスクタイプの記録メディア（記録媒体）１３との間でデータのリード／ライトを行うメディアドライブ１１と、画像データをビデオ信号に変換するビデオエンコーダ１４と、外部表示装置（不図示）にビデオ信号を出力可能にするビデオアウト端子１５と、ＬＣＤ（ Liquid Crystal Display ）１６を駆動するＬＣＤドライバ１７と、その駆動の下に画像等を表示するＬＣＤ１６と、画像データの一時的格納やシステムコントローラ１９のワークエリア等として用されるＳＤＲＡＭ（ Synchronous DRAM ）１８と、不揮発性メモリ１０に記憶されている制御プログラムを読み出し実行することによって当該電子カメラ全体の動作を制御するシステムコントローラ（ＡＳＩＣ（ Application Specific Integrated Circuit ））１９と、ＣＣＤ３を駆動するＣＣＤドライバ２０と、絞りモータ２１を駆動するモータドライバ２２と、その駆動の下に絞り２の絞り量を変更する絞りモータ２１と、ＡＦモータ２３を駆動するモータドライバ２４と、その駆動の下にフォーカスレンズ１を移動させるＡＦモータ２３と、当該電子カメラに対する各種の入力や指示を受け付ける操作部２５と、カメラ電池３４からの電源供給を受け当該電子カメラの各回路へ電源を供給する電源部２６と、各回路へ供給する電源の状態をモニタする電源モニタ部２７と、を備えている。
【００１８】
尚、上記構成において、ディジタル信号処理部６、不揮発性メモリ１０、ドライブコントローラ１２、ビデオエンコーダ１４、ＳＤＲＡＭ１８、及びシステムコントローラ１９は、いずれもバス３３に接続されており、相互にデータの送受を行うことが可能になっている。また、システムコントローラ１９は、所定の画像処理や、ＪＰＥＧ（ Joint Photographic Experts Group ）圧縮／伸長処理等も行う。また、操作部２５は、電源ＯＮ／ＯＦＦ指示を行うためのパワーＳＷ（スイッチ）や、撮影準備指示を行うための１ｓｔレリーズスイッチや、撮影開始指示を行うための２ｎｄレリーズスイッチ等を備えている。
【００１９】
図２は、上記電子カメラの撮影処理の内容を示すフローチャートである。
同図に示したように、本フローでは、まず、パワーＳＷがＯＮしたか否かを判定し（ステップ（以下単に「Ｓ」という）１）、その判定結果がＹｅｓの場合にはＳ２へ進み、Ｎｏの場合には本判定を繰り返す。
【００２０】
Ｓ１がＹｅｓの場合、続いて、１ｓｔレリーズＳＷがＯＮしたか否かを判定し（Ｓ２）、その判定結果がＹｅｓの場合にはＳ３へ進み、Ｎｏの場合には本判定を繰り返す。
Ｓ２がＹｅｓの場合、続いて、ＡＥ処理を行う（Ｓ３）。このＡＥ処理では、ＡＥ積算部７が、Ａ／Ｄ部５の出力であるディジタル画像信号から低周波成分の信号を抽出し、その低周波成分の信号をＹ／Ｃ分離し、得られたＹ成分（輝度成分）の信号における所定の測光エリア内の輝度値を積算し、該積算した値に応じた被写体輝度ＢｖをＡＥ評価値として取得する。そして、そのＡＥ評価値を基に絞り３の絞り量を適正になるよう調整する。
【００２１】
続いて、ＡＦ処理（詳しくは図３を用いて後述）を行う（Ｓ４）。このＡＦ処理では、まず、Ａ／Ｄ部５の出力であるディジタル画像信号から高周波成分の信号量を検出することにより合焦評価値を取得する。すなわち、フィルタ８がＡ／Ｄ部５の出力であるディジタル画像信号から高周波成分の信号を抽出し、ＡＦ積算部９が、その高周波成分の信号をＹ／Ｃ分離し、得られたＹ成分の信号における所定のフォーカスエリア内の輝度値を積算し、該積算した値を合焦評価値として取得する。そして、その合焦評価値を基に合焦位置を算出し、その合焦位置が偽合焦位置であるか否かを判定し、その判定結果に応じてフォーカスレンズ１をその合焦位置或いは常焦点位置（固定位置）へ移動する。尚、常焦点位置とは、パンフォーカス撮影時に使用されるフォーカスレンズ位置のことをいう。
【００２２】
続いて、２ｎｄレリーズＳＷがＯＮしたか否かを判定し（Ｓ５）、その判定結果がＹｅｓの場合にはＳ６へ進み、Ｎｏの場合にはＳ２へ戻る。
Ｓ５がＹｅｓの場合、続いて、この時にフォーカスレンズ１により結像されている被写体像に応じた画像データをＣＣＤ３等を介して取得し、ＳＤＲＡＭ１８に書き込む（Ｓ６）。
【００２３】
続いて、その画像データをＳＤＲＡＭ１８から読み出し（Ｓ７）、読み出した画像データに対し、ホワイトバランス補正（Ｓ８）、Ｙ／Ｃ分離生成（Ｓ９）を行い、更にＪＰＥＧ圧縮を行って（Ｓ１０）、メモリカード（記録メディア１３）に記録する（Ｓ１１）。
【００２４】
図３は、上記Ｓ４のＡＦ処理の内容を詳細に示すフローチャートである。
同図に示したように、本フローでは、まず、合焦位置の方向を判断する方向判断処理を開始する（Ｓ２１）。この方向判断処理では、フォーカスレンズ１を一方方向（無限遠方向又は最至近方向）に移動させながら各フォーカスレンズ位置で合焦評価値を取得し、その合焦評価値の傾向を判断することによって合焦位置の方向を判断する。例えば、フォーカスレンズ１を移動する前の位置で合焦評価値を取得し、続いてフォーカスレンズ１を一方方向（無限遠方向又は最至近方向）に移動した位置で合焦評価値を取得し、移動前後の合焦評価値の大小を比較することによって合焦位置の方向を判断する。この場合、移動後の合焦評価値の方が大きければ移動方向が合焦位置の方向と判断し、逆に、移動後の合焦評価値の方が小さければ移動方向とは逆の方向が合焦位置の方向と判断する。
【００２５】
続いて、この方向判断処理を行った結果、合焦位置の方向を判断することができたか否か、すなわち方向判断ＯＫか否かを判定し（Ｓ２２）、その判定結果がＹｅｓの場合にはＳ２３へ進み、Ｎｏの場合にはＡＦ合焦エラー処理を行う。尚、このＡＦ合焦エラー処理では、当該電子カメラ背面のＬＣＤ１６にＡＦ合焦エラー表示を行ってユーザにその旨を通知する。
【００２６】
図４は、このときのＡＦ合焦エラー表示の一例を示す図である。同図の例は、ＬＣＤ１６に合焦ランプアイコン２８を点滅させることによって、ＡＦ合焦エラー表示を行うものである。
【００２７】
Ｓ２２がＹｅｓの場合、続いて、合焦位置を越えたことを判断する合焦位置越え判断処理を開始する（Ｓ２３）。この合焦位置越え判断処理では、上述の方向判断処理によって判断された合焦位置の方向へフォーカスレンズ１を移動させながら各フォーカスレンズ位置で合焦評価値を取得し、その合焦評価値の傾向が増加の傾向から減少の傾向に変化したときに合焦位置を越えたと判断する。例えば、フォーカスレンズ１を合焦位置の方向へ移動させながら各フォーカスレンズ位置で合焦評価値を取得し、その合焦評価値が、連続する２つのフォーカスレンズ位置で減少の傾向を示したら合焦位置を越えたと判断する。
【００２８】
続いて、この合焦位置越え判断処理を行った結果、合焦位置を越えたと判断することができたか否か、すなわち合焦位置越え判断ＯＫか否かを判定し（Ｓ２４）、その判定結果がＹｅｓの場合にはＳ２５へ進み、Ｎｏの場合にはＡＦ合焦エラー処理を行う。尚、このＡＦ合焦エラー処理では、上記Ｓ２２がＮｏの場合と同様にＬＣＤ１６に例えば図４に示したようなＡＦ合焦エラー表示を行ってユーザにその旨を通知する。
【００２９】
Ｓ２４がＹｅｓの場合、続いて、合焦位置を算出（検出）する（Ｓ２５）。この合焦位置を算出する処理では、上述の方向判断処理が開始されてから合焦位置越え判断処理が終了するまでの間（合焦駆動開始から合焦位置越え判断完了までの間）に取得された合焦評価値を基に合焦位置を算出（検出）するものである。例えば、その間に取得された合焦評価値において、最大値となる合焦評価値が得られたときのフォーカスレンズ位置を合焦位置として算出（検出）する。
【００３０】
続いて、前ステップで算出された合焦位置が、合焦位置であるか偽合焦位置であるかを判定し、合焦位置であると判定したときには算出された合焦位置へ、偽合焦位置であると判定したときには常焦点位置へフォーカスレンズ１を移動させる、合焦／偽合焦判定処理（詳しくは図９を用いて後述）を行い（Ｓ２６）、リターンする。
【００３１】
尚、合焦／偽合焦判定処理（Ｓ２６）では、上記Ｓ３（図２参照）のＡＥ処理で取得されたＡＥ評価値である被写体輝度Ｂｖと、上述の方向判断処理が開始されてから合焦位置越え判断処理が終了するまでの間に取得された合焦評価値と、２つの偽合焦判定条件（１），（２）の組み合わせとに基づいて、合焦位置であるか偽合焦位置であるかを判定する。
【００３２】
２つの偽合焦判定条件（１），（２）は、いずれも偽合焦を判定するための条件であり、偽合焦判定条件（１）は、上述の方向判断処理が開始されてから合焦位置越え判断処理が終了するまでの間に取得された合焦評価値において、その最大値と最小値との差分が所定の閾値よりも低いことであり、偽合焦判定条件（２）は、その間に取得された合焦評価値において、その最大値を含む上位４つの合焦評価値が、連続する５つのフォーカスレンズ位置（但し合焦評価値を取得した位置）内で取得されたものでないことである。
【００３３】
ここで、２つの偽合焦判定条件（１），（２）の各々が成立する場合と不成立の場合の例を図５，図６，図７，及び図８を用いて説明する。
尚、図５乃至８において、横軸はフォーカスレンズ位置を示し、縦軸は合焦評価値を示す。また、図５乃至８の例では、上述の方向判断処理が開始されてから合焦位置越え判断処理が終了するまでの間に取得された合焦評価値において、その最大値を上記Ｓ２５（図３参照）で算出される合焦位置とし、連続する２つのフォーカスレンズ位置で合焦評価値の減少の傾向が現れたときに合焦位置越え判断が終了するものである。
【００３４】
図５は、偽合焦判定条件（１）が成立する場合の一例を示す図である。この例では、上述の方向判断処理が開始されてから合焦位置越え判断処理が終了するまでの間に１０個の合焦評価値がＬ１〜Ｌ１０までの各フォーカスレンズ位置で取得された例である。この場合、この間に取得された合焦評価値において、その最大値Ａはフォーカスレンズ位置Ｌ８で取得された合焦評価値であり、その最小値Ｂはフォーカスレンズ位置Ｌ１で取得された合焦評価値である。ここでは、最大値Ａと最小値Ｂとの差が所定の閾値Ｘ未満となることから（（最大値Ａ−最小値Ｂ）＜Ｘ）、偽合焦判定条件（１）が成立となり、この条件（１）に関し偽合焦と判断される。
【００３５】
図６は、偽合焦判定条件（１）が不成立の場合の一例を示す図である。この例では、上述の方向判断処理が開始されてから合焦位置越え判断処理が終了するまでの間に９個の合焦評価値がＬ１〜Ｌ９までの各フォーカスレンズ位置で取得された例である。この場合、この間に取得された合焦評価値において、その最大値Ａはフォーカスレンズ位置Ｌ７で取得された合焦評価値であり、その最小値Ｂはフォーカスレンズ位置Ｌ１で取得された合焦評価値である。ここでは、最大値Ａと最小値Ｂとの差が所定の閾値Ｘ以上となることから（（最大値Ａ−最小値Ｂ）≧Ｘ）、偽合焦判定条件（１）が不成立となり、この条件（１）に関し合焦と判断される。
【００３６】
図７は、偽合焦判定条件（２）が成立する場合の一例を示す図である。尚、同図において、各フォーカスレンズ位置で取得された合焦評価値は、図５に示したものと同じである。この場合、上述の方向判断処理が開始されてから合焦位置越え判断処理が終了するまでの間に取得された合焦評価値において、その最大値を含む上位４個の合焦評価値は、上位から、フォーカスレンズ位置Ｌ８，Ｌ６，Ｌ４，Ｌ２でそれぞれ取得された４個の合焦評価値である。この例では、その上位４個の合焦評価値は、連続する７個のフォーカスレンズ位置内（Ｌ２〜Ｌ８）で取得されているものの、連続する５個のフォーカスレンズ位置内で取得されたものではないことから、偽合焦判定条件（２）が成立となり、この条件（２）に関し偽合焦と判断される。
【００３７】
図８は、偽合焦判定条件（２）が不成立の場合の一例を示す図である。尚、同図において、各フォーカスレンズ位置で取得された合焦評価値は、図６に示したものと同じである。この場合、上述の方向判断処理が開始されてから合焦位置越え判断処理が終了するまでの間に取得された合焦評価値において、最大値を含む上位４個の合焦評価値は、上位から、フォーカスレンズ位置Ｌ７，Ｌ６，Ｌ５，Ｌ８でそれぞれ取得された４個の合焦評価値である。この例では、その上位４個の合焦評価値は、連続する４個のフォーカスレンズ位置内（Ｌ５〜Ｌ８）で取得されており、連続する５個のフォーカスレンズ位置内で取得されたものであることから、偽合焦判定条件（２）が不成立となり、この条件（２）に関し合焦と判断される。
【００３８】
一般的に、合焦評価値は、被写体輝度が低輝度になればなるほどノイズを多く含むため、フォーカスレンズ位置に対する合焦評価値の特性カーブ（以下「コントラストカーブ」という）として、図５及び図７に示したようなキザギザのコントラストカーブが取得されることが多い。被写体輝度が高輝度の場合は、低輝度の場合と反対にノイズ量が少ないため、ギザギザのコントラストカーブが取得される頻度は、低輝度の場合に比べて少ない。
【００３９】
そこで、このような性質を利用して、上記Ｓ２６（図３参照）の合焦／偽合焦判定処理では、被写体輝度が低輝度の場合は、２つの偽合焦判定条件（１），（２）のいずれか一つでも成立した場合に、上記Ｓ２５（図３参照）で算出された合焦位置が、偽合焦位置であると判定する。また、被写体輝度が高輝度の場合は、前述のギザギザのコントラストカーブが取得される頻度が少なく偽合焦が発生する頻度が少ないと考えられることから、２つの偽合焦判定条件（１），（２）の両方が成立した場合に、上記Ｓ２５（図３参照）で算出された合焦位置が、偽合焦位置であると判定する。
【００４０】
図９は、上記Ｓ２６（図３参照）の合焦／偽合焦判定処理の内容を詳細に示すフローチャートである。
同図に示したように、本フローでは、まず、上記Ｓ３のＡＥ処理（図２参照）で取得されたＡＥ評価値である被写体輝度Ｂｖが５以上（Ｂｖ≧５）であるか否かを判定し（Ｓ３１）、その判定結果がＹｅｓの場合にはＳ３２へ進み、Ｎｏの場合にはＳ３３へ進む。
【００４１】
Ｓ３１がＹｅｓの場合、続いて、偽合焦判定条件（１），（２）の両方が成立しているか否かを判定し（Ｓ３２）、その判定結果がＹｅｓの場合は偽合焦と判断してＳ３４へ進み、Ｎｏの場合は合焦と判断してＳ３５へ進む。
【００４２】
Ｓ３２がＹｅｓの場合、続いて、フォーカスレンズ１を常焦点位置へ移動し（Ｓ３４）、リターンする。Ｓ３２がＮｏの場合は、続いて、フォーカスレンズ１を合焦位置へ移動し（Ｓ３５）、偽合焦エラー処理を行う。尚、この偽合焦エラー処理では、当該電子カメラ背面のＬＣＤ１６に偽合焦エラー表示を行ってユーザにその旨を通知する。
【００４３】
図１０は、このときの偽合焦エラー表示の一例を示す図である。同図の例では、ＬＣＤ１６に、合焦ランプアイコン２８の点滅に加え「偽合焦エラー」の文字が併せて表示されることによって、偽合焦エラー表示を行うものである。
【００４４】
一方、Ｓ３１がＮｏの場合、続いて、偽合焦判定条件（１），（２）のいずれか一つでも成立しているか否かを判定し（Ｓ３３）、その判定結果がＹｅｓの場合は偽合焦と判断し上記Ｓ３４へ進み、Ｎｏの場合は合焦と判断しフォーカスレンズ１を常焦点位置へ移動し（Ｓ３６）、リターンする。
【００４５】
このように、本フローでは、被写体が明るい場合（被写体輝度Ｂｖ≧５の場合）には、偽合焦判定条件（１），（２）のいずれか一つでも成立すれば偽合焦と判断し，両方とも成立しなければ合焦と判断するが、被写体が暗い場合（被写体輝度Ｂｖ＜５の場合）には、偽合焦判定条件（１），（２）の両方が成立したときにはじめて偽合焦と判断し，それ以外は合焦と判断するものである。
【００４６】
以上、本実施例によれば、上述の方向判断処理が開始されてから合焦位置越え判断処理が終了するまでの間に取得した合焦評価値を基に、合焦位置の算出及び算出した合焦位置の合焦／偽合焦判定を行い、合焦と判定した場合に限り算出した合焦位置へフォーカスレンズ１を移動するようにしたので、必ずしも、フォーカスレンズ１が移動可能な全範囲（無限遠端から最至近端）における各フォーカスレンズ位置で合焦評価値を取得する必要はなく、これによりＡＦ動作を高速に行うことができる。また、上記取得した合焦評価値を基に算出した合焦位置が偽合焦位置であると判定したときには、算出した合焦位置ではなく常焦点位置へフォーカスレンズ１を移動するので、高速なＡＦ動作に加えて偽合焦のない焦点検出を行うこともできる。
【００４７】
尚、本実施例では、被写体の輝度に応じて２つの偽合焦判定条件（１），（２）の組み合わせを変更するものであったが、例えば、被写体のコントラスト等によってその組み合わせを変更するようにすることも可能である。
【実施例２】
【００４８】
本発明の実施例２に係る焦点検出装置を備えた電子カメラの構成及び動作は、実施例１で説明した電子カメラとほぼ同じであるが、一部構成とＡＦ処理（図３等）のみが異なる。そこで、本実施例では、その異なる部分を中心に説明する。
【００４９】
図１１は、本実施例に係る焦点検出装置を備えた電子カメラの構成の一部を示すブロック図である。
同図に示したように、本実施例に係る電子カメラは、フィルタとＡＦ積算部をそれぞれ２つづつ設けた点が実施例１のものと異なる。すなわち、上記フィルタ８（図１参照）に入力されていたＡ／Ｄ部５の出力信号であるディジタル画像信号は、第１のフィルタ２９と第２のフィルタ３０のそれぞれに入力され、また、第１のフィルタ２９の出力は第１のＡＦ積算部３１へ、第２のフィルタ３０の出力は第２のＡＦ積算部３２へ入力され、それぞれのＡＦ積算部３１，３２の出力がシステムコントローラ１９に入力されるようになっている。また、これに伴ってシステムコントローラ１９は、２つのフィルタ２９，３０と２つのＡＦ積算部３１，３２を制御する。
【００５０】
第１のフィルタ２９は、第１のカットオフ周波数を通過させ、Ａ／Ｄ部５の出力であるディジタル画像信号から第１の高周波成分の信号を抽出する。第２のフィルタ３０は、第１のカットオフ周波数より通過周波数帯域が高い第２のカットオフ周波数を通過させ、Ａ／Ｄ部５の出力であるディジタル画像信号から第２の高周波成分の信号を抽出する。
【００５１】
２つのＡＦ積算部３１，３２は、何れも実施例１のＡＦ積算部９（図１参照）と同じものであり、第１のＡＦ積算部３１は、ＡＦ積算処理により第１の高周波成分の信号から第１の合焦評価値を取得し、第２のＡＦ積算部３２は、ＡＦ積算処理により第２の高周波成分の信号から第２の合焦評価値を取得する。
【００５２】
その他の電子カメラの構成は、図１に示したものと同じである。
本実施例に係る電子カメラのＡＦ処理については、実施例１で説明した図３に示したフローとほぼ同じであるが、方向判断処理及び合焦位置越え判断処理において第１の合焦評価値と第２の合焦評価値の両方を各フォーカスレンズ位置で取得しその第１及び第２の合焦評価値に基づいて方向判断及び合焦位置越え判断と合焦位置算出とを行う点と、合焦／偽合焦判定処理の内容とが異なる。
【００５３】
本実施例に係る合焦／偽合焦判定処理では、上述の方向判断処理が開始されてから合焦位置越え判断処理が終了するまでの間に取得された第１及び第２の合焦評価値と、２つの偽合焦判定条件（３），（４）の組み合わせとに基づいて、合焦位置であるか偽合焦位置であるかを判定する。
【００５４】
２つの偽合焦判定条件（３），（４）は、いずれも偽合焦を判定するための条件であり、偽合焦判定条件（３）は、上述の方向判断処理が開始されてから合焦位置越え判断処理が終了するまでの間に取得された第１の合焦評価値において、その最大値と最小値との差分が所定の閾値よりも低いことであり、偽合焦判定条件（４）は、その間に取得された第２の合焦評価値において、その最大値を含む上位４つの合焦評価値が、連続する５つのフォーカスレンズ位置（但し合焦評価値を取得した位置）内で取得されたものでないことである。
【００５５】
尚、第１のカットオフ周波数より通過周波数帯域が高い第２のカットオフ周波数を通過して得られる高周波成分の信号（第２のフィルタ３０を通過して得られる高周波成分の信号）は、通常のハイコントラストの被写体の場合、被写体に含まれるノイズ量が少ないため、合焦評価値の最大値のばらつき具合を確認することでノイズの多い被写体環境か否かを判定することができる。よって、第２のフィルタ３０を通過して得られる高周波成分の信号については、偽合焦判定条件（４）を適用するようにしている。
【００５６】
一方、第２のカットオフ周波数より通過周波数帯域が低い第１のカットオフ周波数を通過して得られる高周波成分の信号（第１のフィルタ２９を通過して得られる高周波成分の信号）は、ノイズを含みやすいので、偽合焦判定条件（４）はあまり適していない。そこで、第１のカットオフ周波数を通過して得られる高周波成分の信号については、合焦評価値の信号差により判定するものとし、偽合焦判定条件（３）を適用するようにしている。尚、第１のフィルタ２９を通過して得られる高周波成分の信号でも、高周波成分を多く含む被写体環境の場合、合焦評価値の数値は大きくなり、取得される合焦評価値の最大値と最小値との信号差も大きくなるが、ノイズを多く含む場合は、合焦評価値の最大値と最小値とが同等に大きくなり、オフセットした状態となるので、信号差による判定を行うことに特に問題はない。よって、第１のフィルタ２９を通過して得られる高周波成分の信号に基づく合焦評価値により、被写体が含む高周波成分の量が推定可能となり、ローコントラスト、あるいは、偽合焦し易い被写体か否かの判定が可能となる。
【００５７】
このようなフィルタの特性を利用すると、２つのフィルタ（２つのカットオフ周波数）により得られる高周波成分の信号に基づく合焦評価値に上記２つの偽合焦判定条件（３），（４）を適用する場合は、１つのフィルタ（１つのカットオフ周波数）により得られる高周波成分の信号に基づく合焦評価値に上記２つの偽合焦判定条件（３），（４）を適用する場合に比べて、確実に偽合焦の判定が可能となる。
【００５８】
本実施例では、これら２つの偽合焦判定条件（３），（４）の組み合わせを、上述の方向判断処理が開始されてから合焦位置越え判断処理が終了するまでの間に取得された第１及び第２の合焦評価値に基づいて行うものである。より詳しくは、その間に取得された第１及び第２の合焦評価値のそれぞれの最大値及び最小値を取得し、第２の合焦評価値の最大値が第１の合焦評価値の最大値以上であって且つ第２の合焦評価値の最小値が第１の合焦評価値の最小値以上である場合には、２つの偽合焦判定条件（３），（４）のいずれかが一つでも成立すれば偽合焦と判定し、それ以外の場合には、２つの偽合焦判定条件（３），（４）の両方が成立してはじめて偽合焦と判定する。
【００５９】
図１２，図１３，及び図１４は、第１及び第２の合焦評価値に基づいて行われる２つの偽合焦判定条件（３），（４）の組み合わせを説明する図である。尚、図１２乃至１４において、横軸はフォーカスレンズ位置を示し、縦軸は合焦評価値を示す。また、Ｆ１（５００ｋＨｚ）は第１のフィルタ２９のカットオフ周波数を示し、Ｆ２（９００ｋＨｚ）は第２のフィルタ３０のカットオフ周波数を示している。また、Ｃｏｎｔ＿１Ｍａｘ，Ｃｏｎｔ＿１Ｍｉｎは、上述の方向判断処理が開始されてから合焦位置越え判断処理が終了するまでの間に取得された第１の合焦評価値の最大値と最小値を示し、Ｃｏｎｔ＿２Ｍａｘ，Ｃｏｎｔ＿２Ｍｉｎは、その間に取得された第２の合焦評価値の最大値と最小値を示している。
【００６０】
図１２に示した例は、被写体輝度が明るくコントラストも高い被写体から得られたコントラストカーブを示している。この例では、第２の合焦評価値の最大値が第１の合焦評価値の最大値よりも小さく（Ｃｏｎｔ＿２Ｍａｘ＜Ｃｏｎｔ＿１Ｍａｘ）、第２の合焦評価値の最小値が第１の合焦評価値の最小値よりも小さい（Ｃｏｎｔ＿２Ｍｉｎ＜Ｃｏｎｔ＿１Ｍｉｎ）ことから、２つの偽合焦判定条件（３），（４）の組み合わせとして、両条件（３），（４）が成立したときに偽合焦と判定される。
【００６１】
図１３に示した例は、図１２に示した例よりも被写体輝度が暗くコントラスも低い被写体から得られたコントラストカーブを示している。この例では、第２の合焦評価値の最大値が第１の合焦評価値の最大値よりも大きくなっているものの（Ｃｏｎｔ＿２Ｍａｘ≧Ｃｏｎｔ＿１Ｍａｘ）、第２の合焦評価値の最小値が第１の合焦評価値の最小値よりも小さい（Ｃｏｎｔ＿２Ｍｉｎ＜Ｃｏｎｔ＿１Ｍｉｎ）ことから、２つの偽合焦判定条件（３），（４）の組み合わせとして、判定条件（３），（４）の両条件が成立したときに偽合焦と判定される。
【００６２】
図１４に示した例は、図１３に示した例よりも更に被写体輝度が暗くコントラスも低い被写体から得られたコントラストカーブを示している。この例では、第２の合焦評価値の最大値が第１の合焦評価値の最大値よりも大きく（Ｃｏｎｔ＿２Ｍａｘ≧Ｃｏｎｔ＿１Ｍａｘ）、第２の合焦評価値の最小値が第１の合焦評価値の最小値よりも大きい（Ｃｏｎｔ＿２Ｍｉｎ≧Ｃｏｎｔ＿１Ｍｉｎ）ことから、２つの偽合焦判定条件（３），（４）の組み合わせとして、判定条件（３），（４）のいずれか一つでも成立したときに偽合焦と判定される。
【００６３】
このように、カットオフ周波数の異なる２つのフィルタを通過して得られた２種類の合焦評価値を基に２つの偽合焦判定条件（３），（４）の組み合わせを変更可能とすることで、多数の被写体条件にも柔軟に対応することができ、合焦位置の算出後に、偽合焦をより確実に判定することが可能になっている。
【００６４】
図１５は、本実施例に係る合焦／偽合焦判定処理の内容を詳細に示すフローチャートである。
同図に示したように、本フローでは、まず、上述の方向判断処理が開始されてから合焦位置越え判断処理が終了するまでの間に第１のフィルタ２９の第１のカットオフ周波数を通過して得られた合焦評価値（コントラスト値）を第１の合焦評価値（Ｃｏｎｔ＿１）とし、その間に第２のフィルタ３０の第２のカットオフ周波数を通過して得られた合焦評価値（コントラスト値）を第２の合焦評価値（Ｃｏｎｔ＿２）とする（Ｓ４１）。
【００６５】
続いて、その間に取得された第１及び第２の合焦評価値において、第２の合焦評価値の最大値が第１の合焦評価値の最大値以上であって且つ第２の合焦評価値の最小値が第１の合焦評価値の最小値以上であるか否かを判定し（Ｓ４２）、その判定結果がＹｅｓの場合にはＳ４３へ進み、Ｎｏの場合にはＳ４４へ進む。
【００６６】
Ｓ４２がＹｅｓの場合、続いて、偽合焦判定条件（３），（４）のいずれか一方でも成立しているか否かを判定し（Ｓ４３）、その判定結果がＹｅｓの場合には偽合焦と判断しＳ４４へ進み、Ｎｏの場合には合焦と判断しＳ４５へ進む。
【００６７】
Ｓ４３がＹｅｓの場合、続いて、フォーカスレンズ１を常焦点位置へ駆動し（Ｓ４４）、偽合焦エラー処理を行う。尚、この偽合焦エラー処理では、当該電子カメラ背面のＬＣＤ１６に、図１０に示したような偽合焦エラー表示を行って、ユーザにその旨を通知する。Ｓ４３がＮｏの場合は、フォーカスレンズ１を、算出された合焦位置へ駆動し（Ｓ４５）、リターンする。
【００６８】
一方、Ｓ４２がＮｏの場合、続いて、偽合焦判定条件（３），（４）の両方が成立しているか否かを判定し（Ｓ４４）、その判定結果がＹｅｓの場合は偽合焦と判断しＳ４６へ進み、Ｎｏの場合は合焦と判断しＳ４７へ進む。
【００６９】
Ｓ４４がＹｅｓの場合、続いて、フォーカスレンズ１を常焦点位置へ駆動し（Ｓ４６）、偽合焦エラー処理を行う。尚、この偽合焦エラー処理では、当該電子カメラ背面のＬＣＤ１６に、図１０に示したような偽合焦エラー表示を行って、ユーザにその旨を通知する。Ｓ４４がＮｏの場合は、フォーカスレンズ１を、算出された合焦位置へ駆動し（Ｓ４７）、リターンする。
【００７０】
以上、本実施例によれば、２つのカットオフ周波数により得られた２種類の合焦評価値を基に、算出した合焦位置が偽合焦位置であるか否かを判定するようにしたので、その判定をより正確に行うことができる。
【００７１】
尚、本実施例では、２つのカットオフ周波数により得られた２種類の合焦評価値を基に２つの偽合焦判定条件（３），（４）の組み合わせを変更するものであったが、例えば、被写体の輝度等によってその組み合わせを変更するようにすることも可能である。
【００７２】
また、本実施例において、ＡＦ処理に使用するフィルタ及びＡＦ積算部として、（Ａ）第１のフィルタ２９及び第１のＡＦ積算部３１、（Ｂ）第２のフィルタ３０及び第２のＡＦ積算部３２、又は（Ｃ）２つのフィルタ２９，３０及び２つのＡＦ積算部３１，３２のいずれか一つを選択可能に構成し、（Ａ）又は（Ｂ）を選択したときには実施例１で説明したＡＦ処理を行い、（Ｃ）を選択したときには本実施例で説明したＡＦ処理を行うように構成することも可能である。
【００７３】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００７４】
【図１】実施例１に係る焦点検出装置を備えた電子カメラの主要構成を示すブロック図である。
【図２】実施例１に係る撮影処理の内容を示すフローチャートである。
【図３】Ｓ４のＡＦ処理の内容を詳細に示すフローチャートである。
【図４】ＡＦ合焦エラー表示の一例を示す図である。
【図５】偽合焦判定条件（１）が成立する場合の一例を示す図である。
【図６】偽合焦判定条件（１）が不成立の場合の一例を示す図である。
【図７】偽合焦判定条件（２）が成立する場合の一例を示す図である。
【図８】偽合焦判定条件（２）が不成立の場合の一例を示す図である。
【図９】Ｓ２６の合焦／偽合焦判定処理の内容を詳細に示すフローチャートである。
【図１０】偽合焦エラー表示の一例を示す図である。
【図１１】実施例２に係る焦点検出装置を備えた電子カメラの構成の一部を示すブロック図である。
【図１２】２つの偽合焦判定条件（３），（４）の組み合わせを説明する図である。
【図１３】２つの偽合焦判定条件（３），（４）の組み合わせを説明する図である。
【図１４】２つの偽合焦判定条件（３），（４）の組み合わせを説明する図である。
【図１５】実施例２に係る合焦／偽合焦判定処理の内容を詳細に示すフローチャートである。
【符号の説明】
【００７５】
１      フォーカスレンズ
２      絞り
３      ＣＣＤ
４      撮像回路
５      Ａ／Ｄ部
６      ディジタル信号処理部
７      ＡＥ積算部
８      フィルタ
９      ＡＦ積算部
１０    不揮発性メモリ
１１    メディアドライブ
１２    ドライブコントローラ
１３    記録メディア
１４    ビデオエンコーダ
１５    ビデオアウト端子
１６    ＬＣＤ
１７    ＬＣＤドライバ
１８    ＳＤＲＡＭ
１９    システムコントローラ
２０    ＣＣＤドライバ
２１    絞りモータ
２２    モータドライバ
２３    ＡＦモータ
２４    モータドライバ
２５    操作部
２６    電源部
２７    電源モニタ
２８    合焦ランプアイコン
２９    第１のフィルタ
３０    第２のフィルタ
３１    第１のＡＦ積算部
３２    第２のＡＦ積算部
３３    バス
３４    カメラ電池
【図１】
2006145666.tif 000003
【図２】
2006145666.tif 000004
【図３】
2006145666.tif 000005
【図４】
2006145666.tif 000006
【図５】
2006145666.tif 000007
【図６】
2006145666.tif 000008
【図７】
2006145666.tif 000009
【図８】
2006145666.tif 000010
【図９】
2006145666.tif 000011
【図１０】
2006145666.tif 000012
【図１１】
2006145666.tif 000013
【図１２】
2006145666.tif 000014
【図１３】
2006145666.tif 000015
【図１４】
2006145666.tif 000016
【図１５】
2006145666.tif 000017